(57)【特許請求の範囲】
【請求項１】
通信装置であって、
当該通信装置と、当該通信装置が位置しているセルのセル基地局との間のチャネル推定値、すなわち、当該通信装置とセル基地局との間のチャネル推定値、を得るためのチャネル推定ユニットと；
前記チャネル推定値又は前記チャネル推定値に基づく情報を、セル基地局に送信するための送信ユニットと；
前記セル基地局から協調されたマルチポイント（ＣｏＭＰ）メッセージを受信するための受信ユニットであって、前記ＣｏＭＰメッセージは、ＣｏＭＰ送信モードと、前記セル基地局に利用されるコードブック又はプリコーディングマトリクスとを指示する、受信ユニットと；
前記ＣｏＭＰメッセージに従ってチャネルマトリクスを得るためのチャネルマトリクス形成ユニットと；
前記チャネルマトリクス及び前記ＣｏＭＰメッセージに従って受信した信号をデコードするためのデコーディングユニットと；
を有し、
前記チャネル推定ユニットは、更に、当該通信装置と協調基地局との間のチャネルのチャネル推定値、すなわち当該通信装置と前記協調基地局との間のチャネル推定値、を得て；当該通信装置は、ＣｏＭＰ送信を実行するか否かを決定する判定ユニットを更に有し；前記ＣｏＭＰ送信が実行されると決定された場合、前記チャネル推定値に基づく情報として、前記送信ユニットは、前記セル基地局に、ＣｏＭＰ送信のためのリクエストを送信し、
前記判定ユニットは、更に、ＣｏＭＰ送信モードが採用されることと、前記コードブック又はプリコーディングマトリクスが前記セル基地局及び前記協調基地局に利用されることと、を決定し；前記送信ユニットによって前記セル基地局に送信された前記リクエストは、前記ＣｏＭＰ送信モードと、前記コードブック又はプリコーディングマトリクスとを指示する情報を含む、
通信装置。
【請求項２】
前記ＣｏＭＰメッセージは、ＣｏＭＰ送信モードがコヒーレントＣｏＭＰ送信モードであることを示し、前記チャネルマトリクス形成ユニットは、セル基地局のアンテナ及び協調基地局のアンテナのチャネル推定を実行することによって、チャネルマトリクスを形成し、かつ、前記デコーディングユニットは、前記セル基地局からのデータ及び前記協調基地局からのデータを、同じデータであると見なすことによって、前記受信した信号をデコードする、請求項１記載の通信装置。
【請求項３】
前記ＣｏＭＰメッセージは、前記ＣｏＭＰ送信モードが、第１のタイプのノンコヒーレントＣｏＭＰ送信モードであることを示し、前記チャネルマトリクス形成ユニットは、セル基地局のアンテナ及び協調基地局のアンテナのチャネル推定を実行することによって、チャネルマトリクスを形成し、かつ、前記デコーディングユニットは、前記セル基地局からのデータ及び前記協調基地局からのデータを、異なるデータであると見なすことによって、前記受信した信号をデコードする、請求項１記載の通信装置。
【請求項４】
前記ＣｏＭＰメッセージは、前記ＣｏＭＰ送信モードが、第２のタイプのノンコヒーレントＣｏＭＰ送信モードであることを示し、前記チャネルマトリクス形成ユニットは、セル基地局のアンテナのチャネル推定を実行することによって、チャネルマトリクスを形成し、かつ、前記デコーディングユニットは、前記セル基地局からのデータに係る前記受信した信号をデコードする、請求項１記載の通信装置。
【請求項５】
前記第２のタイプのノンコヒーレントＣｏＭＰ送信モードが採用されることが決定される場合、前記判定ユニットは、当該通信装置の事後信号対雑音比（SNR）又はスループットを最大化するルールにおいて、前記コードブック又はプリコーディングマトリクスがセル基地局に利用されることを決定し、かつ、当該通信装置の事後信号対雑音比（SNR）又はスループットを最小化するルールにおいて、前記コードブック又はプリコーディングマトリクスが協調基地局に利用されることを決定する、請求項４記載の通信装置。
【請求項６】
当該通信装置と前記セル基地局との間の前記チャネル推定値が第１の閾値と第２の閾値の間にある場合で、かつ、当該通信装置と前記協調基地局との間の前記チャネル推定値が第３の閾値と第４の閾値の間にある場合、前記判定ユニットはＣｏＭＰ送信が実行されることを決定し；当該通信装置と前記セル基地局との間の前記チャネル推定値が、前記第１の閾値と前記第２の閾値との間に存在する第５の閾値より小さい場合、前記判定ユニットはコヒーレントＣｏＭＰ送信モードが採用されることを決定し；当該通信装置と前記セル基地局との間の前記チャネル推定値が、前記第５の閾値より大きい場合で、かつ、当該通信装置と前記協調基地局との間の前記チャネル推定値が、前記第３の閾値と前記第４の閾値との間に存在する第６の閾値より大きい場合、前記判定ユニットは、第１のタイプのノンコヒーレントＣｏＭＰ送信モードが採用されることを決定し；かつ、当該通信装置と前記セル基地局との間の前記チャネル推定値が、前記第５の閾値より大きい場合で、かつ、当該通信装置と前記協調基地局との間の前記チャネル推定値が、前記第６の閾値より小さい場合、前記判定ユニットは、第２のタイプのノンコヒーレントＣｏＭＰ送信モードが採用されることを決定する、請求項１記載の通信装置。
【請求項７】
通信装置において利用される協調されたマルチポイント（ＣｏＭＰ）通信方法であって、
前記通信装置と前記通信装置が位置しているセルのセル基地局との間のチャネルのチャネル推定値、を得るためのチャネル推定ステップと；
前記チャネル推定値又は前記チャネル推定値に基づく情報を、前記セル基地局に送信するための送信ステップと；
前記セル基地局からのＣｏＭＰメッセージを受信するための受信ステップであって、前記ＣｏＭＰメッセージは、前記ＣｏＭＰ送信モードと、前記セル基地局によって利用されるコードブック又はプリコーディングマトリクスと、前記セル基地局に対して協調する協調基地局によって利用されるコードブック又はプリコーディングマトリクスと、を指示する、受信ステップと；
前記ＣｏＭＰメッセージに従って、チャネルマトリクスを得るためのチャネルマトリクス形成ステップと；
前記チャネルマトリクス及び前記ＣｏＭＰメッセージに従って、受信した信号をデコードするためのデコーディングステップと；
を有し、
前記チャネル推定ステップは、更に、当該通信装置と前記協調基地局との間のチャネルのチャネル推定値、すなわち当該通信装置と前記協調基地局との間のチャネル推定値、を得るステップを含み；当該通信方法は、ＣｏＭＰ送信を実行するか否かを決定する判定ステップを更に有し；前記ＣｏＭＰ送信が実行されると決定された場合、前記チャネル推定値に基づく情報として、前記送信ステップは、前記セル基地局に、ＣｏＭＰ送信のためのリクエストを送信し、
前記判定ステップは、更に、ＣｏＭＰ送信モードが採用されることと、前記コードブック又はプリコーディングマトリクスが前記セル基地局及び前記協調基地局に利用されることと、を決定し；前記送信ステップによって前記セル基地局に送信された前記リクエストは、前記ＣｏＭＰ送信モードと、前記コードブック又はプリコーディングマトリクスとを指示する情報を含む、
ＣｏＭＰ通信方法。
【発明の詳細な説明】
【技術分野】
【０００１】
本発明は、ワイヤレス通信技術に関する。より詳細には、ワイヤレス通信システムにおける協調されたマルチベースステーション、又はマルチセルの通信方法及び装置に関する。
【背景技術】
【０００２】
近年、ワイヤレス通信システムは、十分な開発がなされてきている。従来の第二世代ＧＳＭ(登録商標)（Global  System  for  Mobile  Communication）は、ＧＰＲＳ（General  Packet  Radio  Service）やＥＤＧＥ（Enhanced  Data  Rate  for  GSM  Evolution）などの継続的な技術開発に位置づけられる。ＷＣＤＭＡやＣＤＭＡ２０００などの、より高速な通信レートを持つ第三世代のＧＳＭが、その後世界の多くの国及び地域で用いられ、商業的に利用されてきた。セルラー通信技術の発展に加えて、他のワイヤレス技術、例えばワイヤレスローカルエリアネットワーク（WLAN）やＷｉＭＡＸ（Worldwide  Interoperability  for  Microwave  Access）が、急速に発展してきている。更に、例えば、第四世代ＧＳＭに近づいているＩＥＥＥ８０２．１６ｍ技術、３ＧＰＰ  ＬＴＥ（Third  Generation  Partnership  Project  Long  Term  Evolution）、３ＧＰＰ  ＬＴＥ＋（Third  Generation  Partnership  Project  Long  Term  Evolution  Advanced）が、既に技術開発の段階に入っている。
【０００３】
高速マルチメディア通信、及び高速ワイヤレスインターネットアクセスに対する人々の要求が増加しているが、ワイヤレススペクトル資源は限られており、現在の帯域資源を利用した通信システムにおいて通信速度及びスペクトル利用率を十分に増加させることは、喫緊の課題となっている。マルチアンテナ技術は、通信容量を増加させ、あるいは信号品質を向上させることができるため、上述のシステムは全てマルチアンテナ技術を利用している。３ＧＰＰ  ＬＴＥ＋システム及びＩＥＥＥ８０２．１６ｍにおいては、基地局から移動局に対する８個の送信アンテナ及び８個の受信アンテナのモードさえも定義されている。
【０００４】
マルチアンテナ技術の時空間処理技術には、主に空間的なマルチプレクシング、空間的なダイバーシティ等が含まれる。この空間的なダイバーシティでは、時空間コーディングによって複数のデータサブストリームにデータを分割し、これらを同時に複数のアンテナによって伝送する。これによって、送信アンテナ間において時間領域で符号化の重複（coding  redundancy）が導入されることにより、ダイバーシティゲインを得ることができる。空間的マルチプレクシングでは、送信アンテナを介して別々の情報ストリームを伝送し、そして、受信側では、干渉抑制方法（interfering  suppression  method）によりデコードし、最大のレートを実現する。一般的に、空間的マルチプレクシング技術は、ワイヤレス通信のスループットを向上させるために採用されている。これに対して、空間的ダイバーシティ技術は、ワイヤレス通信システムのカバレッジを拡大するために採用されている。
【０００５】
本発明に関連する文献を以下に列挙する。これらの文献は、この参照によって、本明細書に記載されていると同等に、本明細書の中に組み込まれる。
【先行技術文献】
【特許文献】
【０００６】
【特許文献１】国際公開２００８／１５７１４７号、「ワイヤレスネットワークにおける協調復号アクセス」COX  TIMOTHY（米国）、KHOSHNEVIS  AHMAD（米国）
【特許文献２】米国特許出願公開２００８／２６００６４号明細書、「マルチセルワイヤレスネットワークにおける協調ＭＩＭＯ」、SHEN  MANYUAN（米国）、XING  GUANBIN（米国）
【特許文献３】国際公開２００８／１２４５３５号、「ＭＩＭＯ及び協調ＭＩＭＯ伝送」LI  XIANGMING（中国）
【特許文献４】米国特許出願公開２００７／２４８１７２号明細書、「協調的基地局マルチユーザＭＩＭＯネットワークにおける信号伝送システム及び方法」MEHTA  NEELESH  B（米国）、ZHANG  HONGYUAN（米国）
【特許文献５】韓国特許出願公開２００６／０１１１２３８号明細書、「ＭＩＭＯワイヤレスネットワークにおける協調ダイバーシティのための方法」、KIM  SUNG  JIN（韓国）、KIM  HO  JIN（韓国）
【特許文献６】米国特許出願公開２００６／２３９２２２号明細書、「ＭＩＭＯワイヤレスネットワークにおける協調ダイバーシティを提供するための方法」、KIM  SUNG-JIN（韓国）、KIM  HO-JI（韓国）
【非特許文献】
【０００７】
【非特許文献１】Ayman  F.  Naguid,  Vahid  Tarokh,  Nambirajan  Seshadri,  A.  Robert  Calderbank,「A  Space-Time  Coding  Modem  for  High-Data-Rate  Wireless  Communications」、IN  IEEE  JSAC,  vol.  16,  no.  8,  October  1998,  pp.  1459-1478
【非特許文献２】V.  Tarokh,  N.  Seshadri,  A.  R.  Calderbank「Space-time  codes  for  high  data  rate  wireless  communication:  performance  criterion  and  code  construction」、IEEE  Trans.  Inform.  Theory,  44:744-765,  March  1998
【発明の概要】
【発明が解決しようとする課題】
【０００８】
ワイヤレス通信システムにおいて、セルの端のユーザは、サービス基地局からの弱い信号を受信する。これは、距離が遠いばかりでなく、多くの場合は、近隣のセルの基地局からの信号に妨害されていることが挙げられる。したがって、セル端のユーザのスループットは減少する。
【課題を解決するための手段】
【０００９】
通信装置の一観点によれば、当該通信装置と、当該通信装置が位置しているセルのセル基地局との間のチャネル推定値、すなわち、当該通信装置とセル基地局との間のチャネル推定値、を得るためのチャネル推定ユニットと；前記チャネル推定値又は前記チャネル推定値に基づく情報を、セル基地局に送信するための送信ユニットと；前記セル基地局から協調されたマルチポイント（ＣｏＭＰ）メッセージを受信するための受信ユニットであって、前記ＣｏＭＰメッセージは、ＣｏＭＰ送信モードと、前記セル基地局に利用されるコードブック又はプリコーディングマトリクスとを指示する、受信ユニットと；前記ＣｏＭＰメッセージに従ってチャネルマトリクスを得るためのチャネルマトリクス形成ユニットと；
前記チャネルマトリクス及び前記ＣｏＭＰメッセージに従って受信した信号をデコードするためのデコーディングユニットと；を有する通信装置が提供される。
【発明の効果】
【００１０】
本発明の実施形態に従って、基地局は、移動局に対してサービスを提供するために相互に良好に協調し、サービスの品質を向上させる。
【図面の簡単な説明】
【００１１】
【図１】本発明の実施形態に従ったコヒーレントＣｏＭＰ送信モードを示す図である。
【図２】本発明の実施形態に従った第１のタイプのノンコヒーレントＣｏＭＰ送信モードを示す図である。
【図３】本発明の実施形態に従った第２のタイプのノンコヒーレントＣｏＭＰ送信モードを示す図である。
【図４】主基地局が送信モードを選択する実施形態のフローチャートを示す図である。
【図５】主基地局が送信モードを選択する他の実施形態のフローチャートを示す図である。
【図６Ａ】本発明の実施形態に従った移動局を示す図である。
【図６Ｂ】本発明の実施形態に従った他の移動局を示す図である。
【図７】本発明の実施形態に従った主基地局のブロック図である。
【図８】本発明の実施形態に従った協調基地局のブロック図である。
【図９】移動局、主基地局、及び協調基地局で構成される通信システムの実施形態のプロセスフローチャートを示す図である。
【図１０】移動局、主基地局、及び協調基地局で構成される通信システムの他の実施形態のプロセスフローチャートを示す図である。
【図１１】移動局、主基地局、及び協調基地局で構成される通信システムの他の実施形態のプロセスフローチャートを示す図である。
【発明を実施するための形態】
【００１２】
本発明の実施形態は、上述の従来技術の課題に関連して説明する。本実施例によって、従来技術の１つ以上の弱点が改善され、そして、少なくとも１つの選択された利点が提供される。
【００１３】
図面及び本発明の実施形態に係る以下の記載を通じて、本発明の上述の及びその他の目的、特徴並びに有利な効果を理解することができる。図面の要素は、実寸に合わせて描かれておらず、本発明の原理を示すためにだけのものである。本発明の一部を描き表現するために、対応する部分が拡大されている場合がある。すなわち、本発明に従って構成された例示的な装置において、これらの部分は他の部分と比較して拡大される。図において、対応するあるいは同じ技術的特徴又は部品に対して、対応する符号が用いられる。
【００１４】
本発明の実施形態は、図を参照しながら説明する。なお、説明を明確にするために、本発明に関連せず、当業者に知られている部分の表示及び記載並びにプロセスは、図及び明細書に記載していない。
【００１５】
明細書の記載及び図面は、本発明の特定の実施形態を詳細に説明している。そして、本発明の原理が採用され得る態様を指摘する。この開示によって本発明の範囲が制限されないことは言うまでもない。添付の請求項の技術的範囲、精神、及び条件の範囲内で、本発明には様々な変更、修正、及び均等物が存在する。
【００１６】
１つの実施形態に関連して記載された、及び／又は、図示された特徴は、１つ以上の他の実施形態に用いられ得る。あるいは、他の実施形態の特徴と置き換えられ得る。
【００１７】
用語「有する／含む／包含する」は、特徴、要素、ステップ、又は部品の存在を特定するために、本明細書において用いられる。なお、他の特徴、要素、ステップ、又は部品の存在を排除すると理解されるべきではない点に留意すべきである。
【００１８】
本発明の実施形態に従って、コヒーレントＣｏＭＰ送信モード、第１のタイプのノンコヒーレントＣｏＭＰ送信モード、及び第２のタイプのノンコヒーレントＣｏＭＰ送信モードを採用することによって、主基地局（main  base  station）及び協調基地局（coordinated  base  station）は、移動局に対してマルチポイント協調を実現する。この３つのＣｏＭＰ送信モードについて、以下に説明する。
【００１９】
本明細書の説明においては、協調された通信において、主基地局の長期間の統計的信号パワーは、協調基地局（近隣の基地局とも言う）のそれよりも大きいと仮定する。
【実施例】
【００２０】
図１は、本発明の実施形態に従ったコヒーレントＣｏＭＰ送信モードを示している。図１に示すように、このモードにおいては、主基地局及び協調基地局は、１つの移動局に対して共同して働き、同一又は異なるコードブックによって同じデータをプリコード（事前符号化pre-code）する。プリコードがなされた後、データＳは、主基地局及び協調基地局を介して、移動局に送信される。この場合、移動局は、数１及び数２のチャネルのチャネル推定を同時に実行しなければならない。
【００２１】
【数１】
0005561359.tif 000002
【００２２】
【数２】
0005561359.tif 000003
主基地局は、このチャネル推定に従って、自身のため、及び協調基地局のために、それぞれコードブックＵ０及びＵ１を選択してもよい。あるいは、移動局が、このチャネル推定に従って、コードブックＵ０及びＵ１を、それぞれ主基地局及び協調基地局のために選択してもよい。加えて、主基地局は、このチャネル推定に従って、コードブックＵ０を自身のために選択し、かつ、協調基地局は、コードブックＵ０に従って、コードブックＵ１を選択してもよい。移動局によって受信される信号は、ＡＷＧＮノイズにのみ干渉を受ける。
【００２３】
図２は、本発明の実施形態に従った第１のノンコヒーレントＣｏＭＰ送信モードを示している。図２に示されるように、このモードにおいては、主基地局及び協調基地局が、１つの移動局に対して共同して働き、同一又は異なるコードブックを用いて、かつ、異なるデータを送信する。この場合、移動局は、数３及び数４のチャネルのチャネル推定を同時に実行しなければならない。
【００２４】
【数３】
0005561359.tif 000004
【００２５】
【数４】
0005561359.tif 000005
主基地局は、このチャネル推定に従って、自身のため、及び協調基地局のために、それぞれコードブックＵ０及びＵ１を選択してもよい。あるいは、移動局が、このチャネル推定に従って、コードブックＵ０及びＵ１を、それぞれ主基地局及び協調基地局のために選択してもよい。加えて、主基地局は、このチャネル推定に従って、コードブックＵ０を自身のために選択し、かつ、協調基地局は、コードブックＵ０に従って、コードブックＵ１を選択してもよい。
【００２６】
データＳ０がＵ０によってプリコードされた後、主基地局から移動局に送信され、その間に、データＳ１が、Ｕ１によってプリコードされた後、協調基地局から移動局に送信される。移動局によって受信された信号は、主基地局からの有用な信号Ｓ０及び協調基地局からの有用な信号Ｓ１ばかりでなく、これらの２つの信号の相互干渉の値をも含む。なぜなら、コードブックは完全に理想的ではないからである。加えて、信号はＡＷＧＮノイズによる干渉も受ける。
【００２７】
図３は、本発明の実施例に従った第２のタイプのノンコヒーレントＣｏＭＰ送信モードを示す。図３に示されるように、このモードにおいては、主基地局及び協調基地局は、それぞれ異なる移動局に対して働き、同一又は異なるコードブックを用いて、かつ、異なるデータを送信する。この場合、移動局は、数５及び数６のチャネルのチャネル推定を同時に実行しなければならない。
【００２８】
【数５】
0005561359.tif 000006
【００２９】
【数６】
0005561359.tif 000007
主基地局は、このチャネル推定に従って、自身のため、及び協調基地局のために、それぞれコードブックＵ０及びＵ１を選択してもよい。あるいは、移動局が、このチャネル推定に従って、コードブックＵ０及びＵ１を、それぞれ主基地局及び協調基地局のために選択してもよい。加えて、主基地局は、このチャネル推定に従って、コードブックＵ０を自身のために選択し、かつ、協調基地局は、コードブックＵ０に従って、コードブックＵ１を選択してもよい。データＳ０がＵ０によってプリコードされた後、主基地局から送信され、主基地局によりサービスされている移動局に送信され、データＳ１が、Ｕ１によってプリコードされた後、協調基地局から送信され、協調基地局によりサービスされている移動局に送信される。移動局によって受信された信号は、主基地局からの有用な信号Ｓ０ばかりでなく、協調基地局から送信されたデータＳ１信号からの干渉をも含む。なぜなら、コードブックは完全に理想的ではないからである。加えて、信号はＡＷＧＮノイズによる干渉も受ける。
【００３０】
第２のタイプのノンコヒーレントＣｏＭＰ送信モードにおいては、主基地局及び協調基地局によって採用されたコードブックＵ０及びＵ１の一方は、移動局の事後信号対雑音比（ＳＮＲ）（スループット）を最大化させる。これに対して、他方は、その移動局のＳＮＲ（スループット）を最小化させる。
【００３１】
その移動局のＳＮＲ（スループット）を最大化させるコードブックを使用している基地局は、その移動局に対して働いて（サービスして）いる信号を送信する。そして、その移動局のＳＮＲ（スループット）を最小化させるコードブックを使用している基地局は、他の移動局に対して働いている信号を送信する。
【００３２】
図４は、主基地局が送信モードを選択する実施形態を示す。図４に示すように、まずステップＳ４０１で、主基地局は、主基地局と移動局との間の、及び移動局と近隣の基地局（主基地局から近隣の他の基地局）との間のチャネル推定値を、移動局から受信する。本発明の実施形態において、各移動局は、主基地局に対する、及びそれぞれの近隣の基地局に対するチャネル推定を実行しなければならない。
【００３３】
次に、ステップＳ４０２において、主基地局は、現在のチャネルコンディションに従って、マルチポイント協調を実行すべきか否かを決定する。例えば、一実施形態において、主基地局と移動局との間のチャネル推定値が、第１の閾値より小さく、かつ、第２の閾値よりも大きく、近隣の基地局と移動局との間のチャネル推定値が、第３の閾値よりも小さく、かつ、第４の閾値夜も大きい場合、マルチポイント協調を実行することが決定される。
【００３４】
主基地局と移動局との間のチャネル推定値が、第１の閾値より大きい場合、主基地局と移動局との間のチャネルは非常に良好であることを意味しており、マルチポイント協調は必要ない。主基地局と移動局との間のチャネル推定値が、第２の閾値より小さい場合、主基地局と移動局との間のチャネルは非常に不良であることを意味しており、主基地局は、マルチポイント協調を実行することができない。したがって、この場合には、マルチポイント協調を実行することは不要であると決定される。これに対して、近隣の基地局と移動局との間のチャネル推定値が、第３の閾値よりも大きい場合、近隣の基地局と移動局との間のチャネルは非常に良好であることを意味しており、マルチポイント協調は必要ない。近隣の基地局と移動局との間のチャネル推定値が、第４の閾値よりも小さい場合、近隣の基地局と移動局との間のチャネルは非常に不良であることを意味しており、近隣の基地局は、マルチポイント協調を実行することができない。
【００３５】
なお、他の実施例において、近隣の基地局と移動局との間のチャネル推定値が、第３の閾値よりも大きいか否かを判断することは、不要である。そして、直接的に、チャネル推定値は、第３の閾値よりも小さいと仮定する。
【００３６】
ステップＳ４０２において、マルチポイント協調が実行されるべきと決定された場合、主基地局は、更に、どのタイプのＣｏＭＰ送信モードが採用されるべきかを決定する。このために、本発明の１つの実施形態に従って、ステップＳ４０３において、基地局と移動局との間のチャネル推定値が、第１の閾値と第２の閾値との間にある第５の閾値よりも小さいか否かが判断される。もし、そうであれば、コヒーレントＣｏＭＰ送信モードが採用される。これに対して、ステップＳ４０３において、基地局と移動局との間のチャネル推定値が第５の閾値よりも小さくないと判断される場合には、ステップＳ４０４において、近隣の基地局と移動局との間のチャネル推定値が、第３の閾値と第４の閾値との間にある第６の閾値より大きいか否かが判断される。そして、もし、そうであれば、第１のタイプのノンコヒーレントＣｏＭＰ送信モードが採用される。あるいは、そうでない場合には、第２のタイプのノンコヒーレントＣｏＭＰ送信モードが採用される。
【００３７】
図５は、主基地局が送信モードを選択する本発明の他の実施形態のフローチャートである。図５に示されたフローは、図４に示されたフローと実質的に同一である。唯一の相違点は以下の通りである。ステップＳ４０４において、近隣の基地局と移動局との間のチャネル推定値が、第６の閾値よりも大きいと判断される場合、ステップＳ４０５において、データトラフィックが、所定の値よりも大きいか否かが判断される。もし、そうであれば、第１のタイプのノンコヒーレントＣｏＭＰ送信モードが採用される。あるいは、そうでない場合には、第２のタイプのノンコヒーレントＣｏＭＰ送信モードが、採用される。
【００３８】
更に、別の実施形態においては、移動局は、自身と協調基地局との間のチャネル推定値を計測しなくてもよい。しかしながら、単に自身と主基地局との間のチャネル推定値を計測すればよい。主基地局は、移動局と協調基地局との間のチャネル推定値を、移動局の地理的位置に従って推論する。これによって、ＣｏＭＰ送信モードを採用するか否かを判定する。そして、どのタイプのＣｏＭＰ送信モードが採用されるべきかを判定する。
【００３９】
加えて、図４及び図５においては、主基地局が、採用の可否、及びどのタイプのＣｏＭＰ送信モードを採用するかを決定しているが、この決定は、移動局によって実行されてもよい。この場合には、例えば、ステップＳ４０１のチャネル推定値を受信するステップは、チャネル推定を実行するステップに変更してもよい。
【００４０】
図６Ａは、本発明の実施形態に従った移動局を示す。本発明の実施形態において、受信器は、最小平均二乗誤差検出を採用し、かつ、受信器は、各基地局から送信された信号を受信している間、各基地局と時間的に完全に同期していると仮定する。もし、時間が同期していない場合、時間誤差は、単純な直線位相調節（linear  phase  adjustment）によって補償されてもよい。
【００４１】
図６Ａに示されるように、本発明の実施例に従って、移動局６０は、チャネル推定ユニット６１、送信ユニット６２、受信ユニット６３、チャネルマトリクス形成ユニット６４、及びデコーディングユニット６５を含む。
【００４２】
チャネル推定ユニット６１は、移動局と主基地局との間のチャネル推定値、及び移動局と近隣の基地局との間のチャネル推定値を推定する。送信ユニット６２は、推定されたチャネル推定値を主基地局に送信する。あるいは、送信ユニット６２は、移動局と近隣の基地局との間の推定されたチャネル推定値を、近隣の基地局に送信する。
【００４３】
なお、ある通信システム（例えばＴＴＤシステム）においては、アップリンク及びダウンリンクチャネルは、相互にシンメトリカルである。この場合、チャネル推定ユニット６１は、移動局と近隣の基地局との間のチャネル推定値を単に推定する。
【００４４】
受信ユニット６３は、主基地局から、ＣｏＭＰ送信モードに入るか否か、ＣｏＭＰ送信モードに入る場合にどのタイプのＣｏＭＰ送信モードを採用するか、及び主基地局及び協調基地局により使用されるコードブックを指示する情報を受信する。例えば、上記の情報はＣＤＭＡ下のＣＩＰＣＨ、又はＬＴＥシステム下のＰＤＣＣＨを介して送信される。加えて、受信ユニットは、主基地局、及び／又は、近隣の基地局から、データを更に受信する。
【００４５】
コヒーレントＣｏＭＰ送信モード、又は第１のタイプのコヒーレントＣｏＭＰ送信モードに入ることが通知された場合には、チャネルマトリクス形成ユニット６４は、主基地局のアンテナ、及び近隣の基地局のアンテナのチャネル推定を実行することにより、チャネルマトリクスを形成する。そして、第２のタイプのノンコヒーレントＣｏＭＰ送信モードに入ることが通知された場合には、チャネルマトリクス形成ユニット６４は、ユーザをサービスしている基地局のアンテナのチャネル推定を実行することによって、チャネルマトリクスを形成する。
【００４６】
デコーディングユニット６５は、主基地局から通知されたチャネルマトリクス及びＣｏＭＰ送信モードに従って、主基地局及び近隣の基地局からのデータをデコードする。詳細には、コヒーレントＣｏＭＰ送信モードに入ることが通知された場合には、デコーディングユニット６５は、受信ユニット６３によって受信された異なる基地局からの同一のソースのデータを、同一のデータと見なし、かつ、その後このデータをデコードする。本発明の実施形態において、同じリソースは、同じ時刻及びシンボルのサブキャリアリソースを参照する。
【００４７】
第１のノンコヒーレントＣｏＭＰ送信モードに入ることが通知された場合、デコーディングユニット６５は、受信ユニット６３によって受信された異なる基地局からのデータを異なるデータであると見なし、その後このデータをデコードする。既知のＭＭＳＥレシーバ、ＺＦレシーバ等がデコーディングに採用されてもよい。
【００４８】
ＣｏＭＰ送信モードに入らないこと、又は第２のタイプのノンコヒーレントＣｏＭＰ送信モードに入ることが通知された場合、移動局によってなされる処理は、従来技術と同様である。したがって、実施形態において、主基地局は、移動局に、コヒーレントＣｏＭＰ送信モード、又は、第２のタイプのノンコヒーレントＣｏＭＰ送信モードに入ったことを単に通知すればよい。
【００４９】
図６Ｂは、本発明の他の実施例に従った移動局を示している。図６Ａと比較すると、図６Ｂの移動局には、チャネル推定ユニット６１によって推定されたチャネル推定値に従って、ＣｏＭＰ送信を実行するか否か、どのタイプのＣｏＭＰ送信モードが採用されるべきか、並びに主基地局及び協調基地局によって使用されるコードブック、を決定する判定ユニット６６が追加されている。判定ユニットが、ＣｏＭＰ送信モードを実行することを決定した場合、決定されたＣｏＭＰ送信モード及びコードブックを含み、ＣｏＭＰ送信モードに入ることを要求するリクエストが、主基地局に送信される。
【００５０】
追加的な実施形態において、判定ユニット６６は、主基地局及び協調基地局によって使用されるコードブックを決定することなく、ＣｏＭＰ送信モードを実行するか否か、及びどのタイプのＣｏＭＰ送信モードが採用されるかを単に決定すればよい。
【００５１】
受信ユニット６３は、移動局からのリクエストを受け入れるか否かを指示する通知を主基地局から受け取る。１つの実施形態において、通知は、決定されたＣｏＭＰ送信モード、並びに主基地局及び協調基地局が使用するコードブックを更に含んでいる。
【００５２】
図７は、本発明の実施例に従った主基地局の機能ブロック図を示している。図７に示すように、本発明の実施例に従って、主基地局７０は、受信ユニット７１、判定ユニット７２、第１の送信ユニット７３、及び第２の送信ユニット７４を有する。
【００５３】
受信ユニット７１は、チャネル推定値又はプリコーディングマトリクス値を移動局から受信する。ＴＤＤシステムにおいて、移動局が、それ自身と主基地局との間のチャネル推定値を送信しない場合、主基地局は、主基地局と移動局との間のチャネル推定値を推定するチャネル推定ユニットを更に含んでもよい。
【００５４】
判定ユニット７２は、チャネル推定値又はプリコーディングマトリクスに基づいて、ＣｏＭＰ送信モードに入るか否か、及びＣｏＭＰ送信モードに入った場合にどのタイプのＣｏＭＰ送信モードが採用されるべきかを決定する。加えて、判定ユニット７２は、主基地局及び協調基地局によって使用される、変調及びコーディング方式（MCS：Modulation  and  Coding  Scheme）、及びコードブック等を更に決定してもよい。ＭＣＳ及びコードブックの使用を決定する場合、事後ＳＮＲ又はスループットを最大化する原則を採用してもよい。
【００５５】
コードブック及びＭＣＳを決定するために採用される事後ＳＮＲを最大化する原則は、特定のデコーディングアルゴリズム（例えば、ゼロフォーシングアルゴリズム又はＭＭＳＥアルゴリズム）において、システムの事後ＳＮＲを最大化するコードブックを選択し、かつ、得られた事後ＳＮＲに従って対応するＭＣＳを選択することになる。
【００５６】
コードブック及びＭＣＳを決定するために採用されるスループットを最大化する原則は、特定のデコーディングアルゴリズム（例えば、ゼロフォーシングアルゴリズム又はＭＭＳＥアルゴリズム）及びシステムの目標フレームエラーレートにおいて、システムのスループットを最大化するコードブック及びＭＣＳを選択することになる。
【００５７】
ＣｏＭＰ送信モードに入ることが決定された場合、第１の送信ユニット７３は、選択されたＣｏＭＰ送信モードを、基地局間のインターフェース（例えばＸ２インターフェース）を介して、例えば、協調基地局に通知し、そして、関連するＣｏＭＰ送信モードが選択された場合、協調基地局から移動局に送信すべきデータを、協調基地局に送信する。このデータは、主基地局から移動局に送信すべきデータと同じである。第１のタイプのノンコヒーレントＣｏＭＰ送信モードが選択された場合、協調基地局から移動局に送信されるべきデータは、協調基地局に送信される。データは、主基地局から移動局に送信されるデータとは異なる。加えて、第１の送信ユニット７３は、コードブック（プリコーディングマトリクス）、ＭＣＳ等を指示するデータ送信情報を更に送信する。この第１の送信ユニット７３は、協調基地局に使用されるコードブック、ＭＣＳ等を指示するデータを直接送信してもよい。他の実施形態において、主基地局により使用されるコードブックが送信されてもよい。そして、協調基地局は、主基地局により使用されるコードブックに従って、自身が利用すべきコードブックを決定してもよい。第１の送信ユニット７３により協調基地局に送信されたデータ送信情報、データ等は、一般的に、協調情報と呼ばれる。
【００５８】
マルチポイント協調を採用することが決定された場合、第２の送信ユニット７４は、使用されるべきＣｏＭＰ送信モードを指示するＣｏＭＰメッセージを、移動局に送信する。１つの実施例において、第２の送信ユニット７４は、それぞれ主基地局及び協調基地局によって使用されるＭＣＳ及びコードブックの情報を、更に移動局に送信する。別の実施形態において、第２の送信ユニット７４は、主基地局により使用されるＭＣＳ及びコードブックを移動局に単に送信する。しかしながら、協調基地局により使用されるこれらのものは、送信されない。
【００５９】
図８は、本発明に従った協調基地局のブロック図を示す。図８に示されるように、本発明の実施形態に従って、協調基地局８０は、受信ユニット８１、決定ユニット８２、及び送信ユニット８３を含む。
【００６０】
受信ユニット８１は、送信すべきデータと、ＣｏＭＰ送信モードに入るか否か、どのタイプのＣｏＭＰ送信モードが採用されるべきか、及び使用されるべきＭＣＳ及びプリコード（プリコーディングマトリクス）を指示する情報とを主基地局から受信する。
【００６１】
決定ユニット８２は、主基地局からの情報に従って、協調基地局によって使用されるべきＭＣＳ及びコードブック（プリコーディングマトリクス）を決定する。使用すべきＭＣＳ及びコードブック（プリコーディングマトリクス）を、主基地局が直接指示した場合には、決定ユニット８２は、指示されたＭＣＳ及びコードブックを、使用すべきＭＣＳ及びコードブック（プリコーディングマトリクス）として、直接決定する。主基地局が、直接指示しない場合であって、主基地局によって使用されているＭＣＳ及びコードブック、並びに移動局と協調基地局との間のチャネル推定値を示す情報を単に与えた場合には、決定ユニット８２は、この情報に従って、利用されるべきＭＣＳ及びコードブック（プリコーディングマトリクス）を決定する。
【００６２】
ＣｏＭＰ送信モードに入ることが指示された場合には、送信ユニット８３は、決定ユニット８２により決定されたＭＣＳ及びコードブックに従って、データを移動局に送信する。コヒーレントＣｏＭＰ送信モード、又は第１のノンコヒーレントＣｏＭＰ送信モードに入る場合には、送信ユニット８３は、受信ユニットによって主基地局から受信したデータを送信する。第２のタイプのノンコヒーレントＣｏＭＰ送信モードにおいては、送信ユニット８３は、ＣｏＭＰサービスを要求する移動局に対して、いかなるデータをも送信しない。しかしながら、主基地局から通知されたＭＣＳ及びコードブックを使用する協調基地局によりサービスされる移動局に対しては、データを送信する。これによって、ＣｏＭＰサービスを要求する移動局に対する干渉を最小限度に抑えることができる。この場合、協調基地局のデータは、実際に移動局に（干渉として）受信されるため、このようなデータ、及び主基地局からのデータは、一般的に協調データ（coordination  data）と呼ばれる
なお、明細書及び図面には記載していないが、移動局及び各基地局は、それぞれの機能をインプリメントするために、必要な様々な他のユニットを有することは言うまでもない。これらの他のユニットとしては、例えば、移動局及び基地局の対応する部分を制御するための制御ユニット（例えば、ＣＰＵ）、データ及びコードブックを記憶するための記憶ユニット、及び従業者又はユーザの操作に供するインターフェースユニット（例えば、ディスプレイ及び操作キー）が含まれる。
【００６３】
図９は、移動局、主基地局、及び協調基地局で構成される通信システムの実施形態のプロセスフローチャートを示す。図９には、１つの協調基地局が示されているが、幾つかの協調基地局が存在する点に留意すべきである。
【００６４】
図９に示されるように、本発明の実施形態に従った通信システムにおいて、まず、移動局がチャネル推定を実行し（Ｓ９１）、移動局と主基地局との間のチャネルのチャネル推定値、及び移動局と協調基地局との間のチャネルのチャネル推定値を推定する。次に、移動局は、これらのチャネル推定値を、主基地局に送信する（Ｓ９２）。主基地局は、受信したチャネル推定値に従って、マルチポイント協調を実行するか否か、及びマルチポイント協調が実行されるべき場合に、どのタイプのＣｏＭＰ送信モードを採用すべきかを決定する（Ｓ９３）。次に、マルチポイント協調を実行すると決定された場合、ＣｏＭＰ送信モードと、主基地局及び協調基地局によって使用されるＭＣＳ及びコードブックＣｏＭＰメッセージとを指示するＣｏＭＰメッセージが、移動局に送信される（Ｓ９４）；この間、データ（コヒーレント協調又は第１のコヒーレント協調の場合）と、ＣｏＭＰ送信モードを指示するデータ送信情報と、ＭＣＳ及びコードブックとを含む協調情報が、協調基地局に送信される（Ｓ９５）。そして、データが移動局に送信される（Ｓ９６）。
【００６５】
主基地局から協調情報を受信した後、協調基地局は、使用するＭＣＳ及びコードブック（プリコーディングマトリクス）を決定し（Ｓ９７）、そして、協調データを送信する（Ｓ９８）。次に、移動局は、主基地局により送信されたＣｏＭＰメッセージに従って、主基地局及び協調基地局からのデータをデコードする（Ｓ９９）。
【００６６】
図１０は、移動局、主基地局、及び協調基地局で構成される通信システムの他の実施形態のプロセスフローチャートを示す。
【００６７】
図１０に示されるように、本発明の実施形態に従った通信システムにおいて、まず、移動局がチャネル推定を実行し（Ｓ１０１）、移動局と主基地局との間のチャネル推定値のみを推定する。次に、移動局は、チャネル推定値を主基地局に送信する（Ｓ１０２）。主基地局は、受信したチャネル推定値及び移動局の地理的位置に従って、マルチポイント協調を実行するか否か、及びマルチポイント協調が実行されるべき場合に、どのタイプのＣｏＭＰ送信モードを採用すべきかを決定する（１０３）。次に、マルチポイント協調を実行すると決定された場合、ＣｏＭＰ送信モードと、主基地局によって使用されるＭＣＳ及びコードブックＣｏＭＰメッセージとを指示するＣｏＭＰメッセージが、移動局に送信される（Ｓ１０４）；この間、データ（コヒーレント協調又は第１のコヒーレント協調の場合）と、ＣｏＭＰ送信モードを指示するデータ送信情報と、ＭＣＳ及びコードブックとを含む協調情報が、協調基地局に送信される（Ｓ１０５）。そして、データが移動局に送信される（Ｓ１０６）。
【００６８】
基地局からＣｏＭＰメッセージを受信した後、移動局は、チャネル推定を実行し（Ｓ１０７）、そして、チャネル推定値を協調基地局に送信する（Ｓ１０８）。主基地局から協調情報、及び移動局からチャネル推定値を受信した後、協調基地局は、使用するＭＣＳ及びコードブックを決定し（Ｓ１０９）、そして、決定されたデコーディング情報を移動局に送信し（Ｓ１１０）、かつ、協調データを送信する（Ｓ１１１）。次に、移動局は、主基地局からのＣｏＭＰメッセージ及び協調基地局からのデコーディング情報に従って、主基地局及び協調基地局からのデータをデコードする（Ｓ１１２）。
【００６９】
図１１は、移動局、主基地局、及び協調基地局で構成される通信システムの更に別の実施形態のプロセスフローチャートを示す。
【００７０】
図１１に示されるように、本発明の実施形態に従った通信システムにおいて、まず、移動局がチャネル推定を実行し（Ｓ２０１）、移動局と主基地局との間のチャネルのチャネル推定値、及び移動局と協調基地局との間のチャネルのチャネル推定値を推定する。次に、移動局は、チャネル推定値に従って、ＣｏＭＰ送信を実行するか否か、どのタイプのＣｏＭＰ送信モードを採用すべきか、及びＣｏＭＰ送信モードにおける主基地局及び協調基地局によって使用されるコードブック（プリコーディングマトリクス）を決定する（Ｓ２０２）。次に、ＣｏＭＰ送信を実行すると決定した場合には、上記の情報を含み、ＣｏＭＰ送信を実行することを要求するリクエストが、主基地局に送信される（Ｓ２０３）。そのリクエストを受信した後、主基地局は、そのリクエストを受け入れるか否かを決定し、かつ、確認メッセージを移動局に送信する（Ｓ２０４）。同時期に、協調情報が協調基地局に送信され（Ｓ２０５）、そして、その後、データを移動局に送信する（Ｓ２０６）。協調基地局は、受信した協調情報に従って、使用されるべきＭＣＳ及びコードブックを決定し、そして、その後、協調データを送信する（Ｓ２０７）。その後、移動局は、主基地局及び協調基地局からのデータをデコードする（Ｓ２０８）。
【００７１】
主基地局は、現在、自身及び協調基地局が使用しているリソースに従って、適度にリクエストを発信する。例えば、以下の通りである。リクエストに指示された、各基地局に対応したプリコーディングマトリクスが、各基地局によって利用されていない場合、主基地局は、そのリクエストを受信し、対応するＣｏＭＰ送信モードを決定してもよい。リクエストに指示された、各基地局に対応するプリコーディングマトリクスが、各々又はある基地局に使用されている状態の場合、主基地局は、そのリクエストを排除してもよい。
【００７２】
なお、上述のステップは、順番に番号が付されているが、これらのステップの順序は変更してもよく、また、複数のステップが同時に実行されてもよい。
【００７３】
更に、本発明の実施形態において、例えば、ＯＦＤＭシステムに対しては、送信されたデータは、ＯＦＤＭシステムの周波数ドメインにおける各サブキャリアのプリセレクトされたコードブックによってプリコードされる。このプリコードされた信号は、Ｍ個の送信アンテナによって送信され、Ｎ個の受信アンテナによって受信される。この受信された信号は、以下のように表現される。
【００７４】
【数７】
0005561359.tif 000008
ここで、
【００７５】
【数８】
0005561359.tif 000009
は受信信号、
【００７６】
【数９】
0005561359.tif 000010
はチャネル応答マトリクス、
【００７７】
【数１０】
0005561359.tif 000011
はプリコーディングベクトル、
【００７８】
【数１１】
0005561359.tif 000012
は送信信号、
【００７９】
【数１２】
0005561359.tif 000013
はＡＷＧＮノイズベクトルである。そして、これらのベクトルのディメンションは、それぞれ、Ｎ×１、Ｎ×Ｍ、Ｍ×１、１×１、及びＮ×１である。
【００８０】
なお、本明細書において定義した基地局は、最も広い意味で解釈されるべきである。すなわち、自身のサービスエリアを形成し、その中で通信装置にサービスする様々な装置が含まれる。
【００８１】
本明細書の実施態様に対応して記載されたそれぞれの例示的ユニット及びステップは、ハードウエア、ソフトウエア、又はこれらの組合せによってインプリメントすることができることを当業者は理解するであろう。これらの機能がハードウエア又はソフトウエアのいずれの形で実現されるかは、技術解決のための特定のアプリケーション及び設計の拘束条件に依存する。技術者であれば、記載された機能を異なる方法でインプリメントし得る。しかしながら、このインプリメンテーションは、本発明の技術的範囲を超えるものと解釈されるべきではない。
【００８２】
本明細書において開示された実施形態に関連して記載された方法又はアルゴリズムのステップは、ハードウエア（コンピュータ等の論理装置）によって実行されるソフトウエアによってインプリメントすることができる。ソフトウエアが実行された場合、そのハードウエア（コンピュータ等の論理装置）は、上述の方法又はそのステップをインプリメントすることが可能である。あるいは、本発明の装置の部分として働くことができる。
【００８３】
ソフトウエアは、ＲＡＭ、メモリ、ＲＯＭ、ＥＰＲＯＭ、ＥＥＰＲＯＭ、レジスタ、ハードディスク、リムーバブルディスク、ＣＤ−ＲＯＭ、又は既知の技術のいかなる形態の記憶媒体にも記憶させることができる。
【００８４】
上述の実施形態は、例示であり、本発明を限定するためのものではない。本発明の精神に従って、当業者であれば、様々な変形及び変更を考えることができ、これらは全て本発明の技術的範囲に属するものである。
【００８５】
以上の実施形態に関し、更に以下の付記を開示する。
（付記１）
通信装置であって、
当該通信装置と、当該通信装置が位置しているセルのセル基地局との間のチャネル推定値、すなわち、当該通信装置とセル基地局との間のチャネル推定値、を得るためのチャネル推定ユニットと；
前記チャネル推定値又は前記チャネル推定値に基づく情報を、セル基地局に送信するための送信ユニットと；
前記セル基地局から協調されたマルチポイント（ＣｏＭＰ）メッセージを受信するための受信ユニットであって、前記ＣｏＭＰメッセージは、ＣｏＭＰ送信モードと、前記セル基地局に利用されるコードブック又はプリコーディングマトリクスとを指示する、受信ユニットと；
前記ＣｏＭＰメッセージに従ってチャネルマトリクスを得るためのチャネルマトリクス形成ユニットと；
前記チャネルマトリクス及び前記ＣｏＭＰメッセージに従って受信した信号をデコードするためのデコーディングユニットと；
を有する通信装置。
（付記２）
前記ＣｏＭＰメッセージは、ＣｏＭＰ送信モードがコヒーレントＣｏＭＰ送信モードであることを示し、前記チャネルマトリクス形成ユニットは、セル基地局のアンテナ及び協調基地局のアンテナのチャネル推定を実行することによって、チャネルマトリクスを形成し、かつ、前記デコーディングユニットは、前記セル基地局からのデータ及び前記協調基地局からのデータを、同じデータであると見なすことによって、前記受信した信号をデコードする、付記１記載の通信装置。
（付記３）
前記ＣｏＭＰメッセージは、前記ＣｏＭＰ送信モードが、第１のタイプのノンコヒーレントＣｏＭＰ送信モードであることを示し、前記チャネルマトリクス形成ユニットは、セル基地局のアンテナ及び協調基地局のアンテナのチャネル推定を実行することによって、チャネルマトリクスを形成し、かつ、前記デコーディングユニットは、前記セル基地局からのデータ及び前記協調基地局からのデータを、同じデータであると見なすことによって、前記受信した信号をデコードする、付記１記載の通信装置。
（付記４）
前記ＣｏＭＰメッセージは、前記ＣｏＭＰ送信モードが、第２のタイプのノンコヒーレントＣｏＭＰ送信モードであることを示し、前記チャネルマトリクス形成ユニットは、セル基地局のアンテナのチャネル推定を実行することによって、チャネルマトリクスを形成し、かつ、前記デコーディングユニットは、前記セル基地局からのデータに係る前記受信した信号をデコードする、付記１記載の通信装置。
（付記５）
前記チャネル推定ユニットは、更に、当該通信装置と前記協調基地局との間のチャネル推定値を得て、かつ、前記送信ユニットは、当該通信装置と前記協調基地局との間のチャネル推定値を、前記セル基地局に送信する、付記１記載の通信装置。
（付記６）
前記チャネル推定ユニットは、更に、当該通信装置と前記協調基地局との間のチャネルのチャネル推定値、すなわち当該通信装置と前記協調基地局との間のチャネル推定値、を得て；当該通信装置は、ＣｏＭＰ送信を実行するか否かを決定する判定ユニットを更に有し；前記ＣｏＭＰ送信が実行されると決定された場合、前記チャネル推定値に基づく情報として、前記送信ユニットは、前記セル基地局に、ＣｏＭＰ送信のためのリクエストを送信する、付記１記載の通信装置。
（付記７）
前記判定ユニットは、更に、ＣｏＭＰ送信モードが採用されることと、前記コードブック又はプリコーディングマトリクスが前記セル基地局及び前記協調基地局に利用されることと、を決定し；前記送信ユニットによって前記セル基地局に送信された前記リクエストは、前記ＣｏＭＰ送信モードと、前記コードブック又はプリコーディングマトリクスとを指示する情報を含む、付記６記載の通信装置。
（付記８）
前記第２のタイプのノンコヒーレントＣｏＭＰ送信モードが採用されることが決定される場合、前記判定ユニットは、当該通信装置の事後信号対雑音比（SNR）又はスループットを最大化するルールにおいて、前記コードブック又はプリコーディングマトリクスがセル基地局に利用されることを決定し、かつ、当該通信装置の事後信号対雑音比（SNR）又はスループットを最大化するルールにおいて、前記コードブック又はプリコーディングマトリクスが協調基地局に利用されることを決定する、付記７記載の通信装置。
（付記９）
当該通信装置と前記セル基地局との間の前記チャネル推定値が第１の閾値と第２の閾値の間にある場合で、かつ、当該通信装置と前記協調基地局との間の前記チャネル推定値が第３の閾値と第４の閾値の間にある場合、前記判定ユニットはＣｏＭＰ送信が実行されることを決定し；当該通信装置と前記セル基地局との間の前記チャネル推定値が、前記第１の閾値と前記第２の閾値との間に存在する第５の閾値より小さい場合、前記判定ユニットはコヒーレントＣｏＭＰ送信モードが採用されることを決定し；当該通信装置と前記セル基地局との間の前記チャネル推定値が、前記第５の閾値より大きい場合で、かつ、当該通信装置と前記協調基地局との間の前記チャネル推定値が、前記第３の閾値と前記第４の閾値との間に存在する第６の閾値より大きい場合、前記判定ユニットは、前記第１のコヒーレントＣｏＭＰ送信モードが採用されることを決定し；かつ、当該通信装置と前記セル基地局との間の前記チャネル推定値が、前記第５の閾値より大きい場合で、かつ、当該通信装置と前記協調基地局との間の前記チャネル推定値が、前記第６の閾値より小さい場合、前記判定ユニットは、前記第２のコヒーレントＣｏＭＰ送信モードが採用されることを決定する、付記７記載の通信装置。
（付記１０）
基地局であって、
当該基地局により提供されるセルの通信装置から、前記通信装置と当該基地局との間のチャネルのチャネル推定値、すなわち、当該基地局に対するチャネル推定値、を受信するための受信ユニットと；
前記チャネル推定値に従って、協調されたマルチポイント（ＣｏＭＰ）送信を実行するか否かと、ＣｏＭＰ送信モードを採用することと、コードブック又はプリコーディングマトリクスが前記基地局と協調する協調基地局によって利用されることと、を決定するための判定ユニットと；
前記協調基地局に利用される前記ＣｏＭＰ送信モードと、コードブック又はプリコーディングマトリクスとを表す情報を含む協調情報、及び前記協調基地局により送信されるデータを前記協調基地局に通知するための第１の送信ユニットと；
採用する前記ＣｏＭＰ送信モードと、当該基地局が利用するコードブック又はプリコーディングマトリクスと、当該基地局に対して協調する協調基地局により利用されるコードブック又はプリコーディングマトリクスと、を指示する情報、及び前記通信装置により受信されるべきデータを、前記通信装置に送信するための第２の送信ユニットと；
を有する基地局。
（付記１１）
前記判定ユニットは、前記通信装置の、前記チャネル推定値及び地理的位置に従って、決定する、
付記１０記載の基地局。
（付記１２）
前記受信ユニットは、更に、前記通信装置から、前記通信装置と前記協調基地局との間のチャネルのチャネル推定値、すなわち、前記通信装置と前記協調基地局との間のチャネル推定値を受信し、前記判定ユニットは、前記通信装置と前記協調基地局との間の前記チャネル推定値と、前記通信装置と当該基地局との間のチャネル推定値とに従って、決定する、付記１０記載の基地局。
（付記１３）
当該通信装置と前記基地局との間の前記チャネル推定値が第１の閾値と第２の閾値の間にある場合で、かつ、当該通信装置と前記協調基地局との間の前記チャネル推定値が第３の閾値と第４の閾値の間にある場合、前記判定ユニットはＣｏＭＰ送信が実行されることを決定し；当該通信装置と前記基地局との間の前記チャネル推定値が、前記第１の閾値と前記第２の閾値との間に存在する第５の閾値より小さい場合、前記判定ユニットはコヒーレントＣｏＭＰ送信モードが採用されることを決定し；当該通信装置と前記基地局との間の前記チャネル推定値が、前記第５の閾値より大きい場合で、かつ、当該通信装置と前記協調基地局との間の前記チャネル推定値が、前記第３の閾値と前記第４の閾値との間に存在する第６の閾値より大きい場合、前記判定ユニットは、前記第１のコヒーレントＣｏＭＰ送信モードが採用されることを決定し；かつ、当該通信装置と前記基地局との間の前記チャネル推定値が、前記第５の閾値より大きい場合で、かつ、当該通信装置と前記協調基地局との間の前記チャネル推定値が、前記第６の閾値より小さい場合、前記判定ユニットは、前記第２のコヒーレントＣｏＭＰ送信モードが採用されることを決定する、付記１２記載の基地局。
（付記１４）
前記第２のタイプのノンコヒーレントＣｏＭＰ送信モードが採用されることが決定される場合、前記判定ユニットは、前記通信装置の事後信号対雑音比（SNR）又はスループットを最大化するルールにおいて、前記コードブック又はプリコーディングマトリクスが基地局に利用されることを決定し、かつ、前記通信装置の事後信号対雑音比（SNR）又はスループットを最大化するルールにおいて、前記コードブック又はプリコーディングマトリクスが協調基地局に利用されることを決定する、付記１０記載の基地局。
（付記１５）
コヒーレントＣｏＭＰ送信モードが採用されるべきと、前記判定ユニットが決定した場合、前記第１の送信ユニットは、前記基地局によって前記通信装置に送信されるべきデータと同じものを、前記協調基地局に送信し；前記判定ユニットが前記第１のタイプのコヒーレントＣｏＭＰ送信モードが採用されるべきと決定した場合、前記第１の送信ユニットは、前記基地局によって前記通信装置に送信されるべきデータと異なるものを前記協調基地局に送信し、前記判定ユニットが前記第２のタイプのコヒーレントＣｏＭＰ送信モードが採用されるべきと決定した場合、前記第１の送信ユニットは、データを前記協調基地局に送信しない、付記１３記載の基地局。
（付記１６）
通信装置において利用される協調されたマルチポイント（ＣｏＭＰ）通信方法であって、
前記通信装置と前記通信装置が位置しているセルのセル基地局との間のチャネルのチャネル推定値、すなわち前記通信装置とセル基地局との間のチャネル推定値、を得るためのチャネル推定ステップと；
前記チャネル推定値又は前記チャネル推定値に基づく情報を、前記セル基地局に送信するための送信ステップと；
前記セル基地局からのＣｏＭＰメッセージを受信するための受信ステップであって、前記ＣｏＭＰメッセージは、前記ＣｏＭＰ送信モードと、前記セル基地局によって利用されるコードブック又はプリコーディングマトリクスと、前記セル基地局に対して協調する協調基地局によって利用されるコードブック又はプリコーディングマトリクスと、を指示する、受信ステップと；
前記ＣｏＭＰメッセージに従って、チャネルマトリクスを得るためのチャネルマトリクス形成ステップと；
前記チャネルマトリクス及び前記ＣｏＭＰメッセージに従って、受信した信号をデコードするためのデコーディングステップと；
を有するＣｏＭＰ通信方法。
（付記１７）
前記ＣｏＭＰメッセージは、前記ＣｏＭＰ送信モードがコヒーレントＣｏＭＰ送信モードであることを指示し、前記チャネルマトリクス形成ステップが、前記セル基地局のアンテナ及び前記協調基地局のアンテナのチャネル推定を実行することによって、チャネルマトリクスを形成し、かつ、前記デコーディングステップは、前記セル基地局からのデータ及び前記協調基地局からのデータを、同じデータであると見なすことによって、前記受信した信号をデコードする、付記１６記載のＣｏＭＰ通信方法。
（付記１８）
前記ＣｏＭＰメッセージは、前記ＣｏＭＰ送信モードが、第１のタイプのノンコヒーレントＣｏＭＰ送信モードであることを指示し、前記チャネルマトリクス形成ステップは、セル基地局のアンテナ及び協調基地局のアンテナのチャネル推定を実行することによって、チャネルマトリクスを形成し、かつ、前記デコーディングステップは、前記セル基地局からのデータ及び前記協調基地局からのデータを、同じデータであると見なすことによって、前記受信した信号をデコードする、付記１６記載のＣｏＭＰ通信方法。
（付記１９）
前記ＣｏＭＰメッセージは、前記ＣｏＭＰ送信モードが、第２のタイプのノンコヒーレントＣｏＭＰ送信モードであることを指示し、前記チャネルマトリクス形成ステップは、セル基地局のアンテナのチャネル推定を実行することによって、チャネルマトリクスを形成し、かつ、前記デコーディングステップは、前記セル基地局からのデータに係る前記受信した信号をデコードする、付記１６記載のＣｏＭＰ通信方法。
（付記２０）
前記チャネル推定ステップは、更に、当該通信装置と前記協調基地局との間のチャネル推定値を得て、かつ、前記送信ステップは、当該通信装置と前記協調基地局との間のチャネル推定値を、前記セル基地局に送信する、付記１６記載のＣｏＭＰ通信方法。
（付記２１）
前記チャネル推定ステップは、更に、当該通信装置と前記協調基地局との間のチャネルのチャネル推定値、すなわち当該通信装置と前記協調基地局との間のチャネル推定値、を得て、当該ＣｏＭＰ通信方法は、ＣｏＭＰ送信を実行するか否かを決定する判定ステップを更に有し、前記ＣｏＭＰ送信が実行されると決定された場合、前記チャネル推定値に基づく情報として、前記送信ステップは、前記セル基地局に、ＣｏＭＰ送信のためのリクエストを送信する、付記１６記載のＣｏＭＰ通信方法。
（付記２２）
前記判定ステップは、更に、ＣｏＭＰ送信モードが採用されることと、前記コードブック又はプリコーディングマトリクスが前記セル基地局及び前記協調基地局に利用されることと、を決定し；前記送信ステップによって前記セル基地局に送信された前記リクエストは、前記ＣｏＭＰ送信モードと、前記コードブック又はプリコーディングマトリクスとを指示する情報を含む、付記２１記載のＣｏＭＰ通信方法。
（付記２３）
基地局であって、
当該基地局により提供されるセルの通信装置から、協調されたマルチポイント（ＣｏＭＰ）送信を実行することを要求するリクエスト、ＣｏＭＰ送信モードを採用することを指示する情報を含むリクエスト、ＣｏＭＰ送信モードを採用すること、及びコードブック又はプリコーディングマトリクスが前記基地局と協調する協調基地局によって利用されることを受信するための受信ユニットと；
前記協調基地局に利用される前記ＣｏＭＰ送信モードと、コードブック又はプリコーディングマトリクスとを指示する情報を含む協調情報、及び前記協調基地局により送信されるデータを前記協調基地局に通知するための第１の送信ユニットと；
前記リクエストの確認、及び前記通信装置により受信されるべきデータを、前記通信装置に送信するための第２の送信ユニットと；
を有する基地局。
（付記２４）
前記リクエストを受信すべきか否かを決定するための判断ユニットを更に有する、付記２３記載の基地局。
【符号の説明】
【００８６】
６０  移動局
７０  主基地局
８０  協調基地局
【図１】
0005561359.tif 000014
【図２】
0005561359.tif 000015
【図３】
0005561359.tif 000016
【図４】
0005561359.tif 000017
【図５】
0005561359.tif 000018
【図６Ａ】
0005561359.tif 000019
【図６Ｂ】
0005561359.tif 000020
【図７】
0005561359.tif 000021
【図８】
0005561359.tif 000022
【図９】
0005561359.tif 000023
【図１０】
0005561359.tif 000024
【図１１】
0005561359.tif 000025